(57)【要約】【課題】産業廃棄物である樹木の皮や木屑を利用して、通水性を有し且つ植生することができ、しかも強固な法面を構築することができるブロックを提供する。【解決手段】ポーラスコンクリート製の基盤１上に、木質繊維材５とセメントとセメント変性剤との混合物よりなる通水性の表層部２を、基盤１と表層部２のセメントを利用して積層一体化するか、該表層部２の木質繊維材５間に基盤１のポーラスコンクリートを混入して形成した通水性の中間層３により基盤１上に表層部２を積層一体化する。【選択図】      図１
2004278086.tif 000002
【特許請求の範囲】
【請求項１】
ポーラスコンクリート製の基盤上に、木質繊維材とセメントとセメント変性剤との混合物よりなる通水性の表層部を積層一体化したことを特徴とする法面用ブロック。
【請求項２】
ポーラスコンクリート製の基盤上に、木質繊維材とセメントとセメント変性剤との混合物よりなる通水性の表層部を、該表層部の一部にポーラスコンクリートが混入した通水性の中間層により積層一体化したことを特徴とする法面用ブロック。
【発明の詳細な説明】
【０００１】
【発明の属する技術分野】
本発明は、産業廃棄物である樹木の皮や木屑を利用して、通水性を有し且つ植生可能な法面用ブロックに関するものである。
【０００２】
【従来の技術】
植生の可能な法面用ブロックとしては、ポーラスコンクリートブロックの表面にヤシマットを一体的に被覆したものが、河川や湖の法面や道路の法面に使用された。
【０００３】
この従来の法面用ブロックによるときは、ヤシマットにおける繊維同士の連結が、長期の使用により解れてマットが崩壊し、マット内に充填した土壌や、植生した草花が流出してしまう欠点があった。
【０００４】
【発明が解決しようとする課題】
本発明は、上記のような法面用ブロックの問題点を考慮して開発したものであり、昨今自然環境の保護の観点から大きな問題になっている産業の廃棄物である樹木の皮や木屑を利用して、通水性を有し且つ植生可能な法面用ブロックを提供しようとするものである。
【０００５】
【課題を解決するための手段】
上記目的を達成するために、請求項１の発明に係る法面用ブロックは、ポーラスコンクリート製の基盤上に、木質繊維材とセメントとセメント変性剤との混合物よりなる通水性の表層部を積層一体化したことを特徴としている。
【０００６】
請求項２の発明に係る法面用ブロックは、ポーラスコンクリート製の基盤上に、木質繊維材とセメントとセメント変性剤との混合物よりなる通水性の表層部を、該表層部の一部にポーラスコンクリートが混入した通水性の中間層により積層一体化したことを特徴としている。
【０００７】
上記請求項１及び２の法面用ブロックは、木質繊維材に樹木の皮とか木屑を適宜の大きさに破砕して繊維状にしたものを使用し、セメントとそのセメントの効果を向上させるセメント変性剤により、絡み合った木質繊維材同士を連結することにより、通水性の間隙が無数に形成された表層部を形成している。しかも基盤も通水性であるから、このブロックを河川とか道路の法面に敷設した場合、雨水を吸収し、地中に浸透させる。
【０００８】
また表層部の空隙に土壌と共に草花の種子を蒔いて植生するときは、草花の根は木質繊維材に絡み付き、表層部に保持された水分を吸収して生育し、緑化が進行する。
【０００９】
また請求項１の法面用ブロックは、基盤と表層部とは、基盤のポーラスコンクリートと表層部の木質繊維材との結合により一体化するため、基盤から表層部が剥離し難いが、請求項２の発明のように、基盤のポーラスコンクリートを、絡み合っている木質繊維材間に浸入させて中間層を形成するときは、この中間層により基盤と表層部が確実に一体化されるため、長期間使用しても表層部が剥離するとか、生育した草花が脱落することがない。
【００１０】
【発明の実施の形態】
図１，図２を参照して本発明の実施の形態を説明する。図１は法面用ブロックの斜視図であり、図２は同上法面用ブロックの要部を示す縦断面図である。
【００１１】
符号１は、ポーラスコンクリート製の基盤であり、２は該基盤１の表面に通水性の中間層３を介して一体的に積層した通水性を有する表層部である。上記基盤１にはセメントと粗骨材と水とよりなるポーラスコンクリート製であり、四隅には連結環４を突設している。
【００１２】
上記表層部２は、木質繊維材５とセメントとセメント変性剤との混合物よりなり、木質繊維材５は、廃棄処分しなければならない樹皮や木屑を、長さが５〜７０ｍｍ程度，太さが１〜５ｍｍ程度の繊維状に破砕したものを使用する。セメントの硬化を促進して木質繊維材と木質繊維材との連結を強固にするためのセメント変性剤としては、コンクリート製品の生産に一般に使用されているものでもよいが、塩化カルシュウムを主成分とする水溶性のものが好ましい。
【００１３】
基盤１と表層部２との間に形成された中間層３は、基盤１の素材であるポーラスコンクリートの粗骨材６やセメントが、表層部２の空隙内に進入して、基盤１と表層部２とを一体化している。
【００１４】
次に本発明に係る法面用ブロックの製造工程に付いて説明する。予め用意した縦１００ｃｍ，横１００ｃｍ，高さ１８ｃｍの型枠内に、重量％で木質繊維材８５．７％，セメント９．８％，セメント変性剤４．５％の割合で混ぜ合せた混合物の４０ｋｇを投入し、その上に重量％でセメント１６％，水３．４％，粗骨材８０．６％の割合で混ぜ合わせたポーラスコンクリートの３６０ｋｇを投入し、型枠を振動させて上方より加圧し、締め固めを施した後、脱型すれば、厚さが１３ｃｍの基盤１上に、厚さが２ｃｍの中間層３を介して厚さが３ｃｍの表層部２が積層された通水性の法面用ブロックが製造される。上記基盤１の空隙率は１８．０±２％、表層部２の空隙率は３６％、中間層３の空隙率は２０％であった。
【００１５】
上記中間層３の厚さは、型枠の振幅及び加圧の大きさを変え、ポーラスコンクリートの表層部への沈下量を変えることにより調節する。
【００１６】
上記のように構成された法面用ブロックは、例えば河川の法面に敷設し、表層部２上に土壌を敷き詰め、草花の種子を蒔くときは、土壌及び種子は表層部の空隙内に沈下し安定するため、雨水等により流出することがない。しかも草花の根が表層内に絡み付き、緑化された強固な法面が構築される。
【００１７】
上記法面用ブロックは、基盤１と表層部２とが中間層３により一体化され、しかも表層部２の絡み合い、重なり合った木質繊維材５は、セメント変性材により強化されたセメントにより強力に連結されるため、剥離現象や、木質繊維材５の解れを生ずることがない。従って、長期に亘り緑化された法面が保持される。また表層部２は木質繊維材５により、柔らかで温かな感じの表面が形成される。
【００１８】
図３に示す別の法面用ブロックは、ポーラスコンクリート製の基盤１の表面に同一素材による膨出部７を形成し、この膨出部７上に、前記の配合率と同一の木質繊維材５とセメントとセメント変性剤とよりなる混合物により表層部２を形成している。上記基盤１における膨出部７と表層部２との間には、前記と同様に中間層３を形成している。この中間層３により膨出部７と表層部２とが一体的に連結し、擬石８を形成している。
【００１９】
この法面用ブロックは、前記と同様の製造工程により生産されるものであり、緑化された強固な法面が構成されるのであるが、特に木質繊維材５を主材とする表層部２により擬石８を形成したから、河川や道路の側面に、柔らかで温か味のある擬石７が露出した法面が形成される。
【００２０】
尚、図１，図２の法面ブロックは、基盤１と表層部２との間に中間層３を形成したが、ポーラスコンクリートの木質繊維材５への付着により、基盤１と表層部２とを結合する場合もある。また基盤１は方形状であるが、丸型とか多角形状の場合もある。
【００２１】
【発明の効果】
本発明に係る法面用ブロックは、以上説明したような形態で実施され、以下に記載する効果を奏する。
【００２２】
本発明の法面用ブロックは、表層部を絡み合った木質繊維材により形成し、無数の間隙を形成したから、雨水を表層部及び基盤を通過させ、地中内に浸透させることができる。しかも木質繊維材間に植生した草花は、根が繊維材に絡み付くため、雨水により表層部から流出することがなく、緑化した法面を維持することができる。
【００２３】
本発明の法面用ブロックは、表層部の主材である木質繊維材に、産業廃棄物である樹皮とか樹木の切れ端等を使用するため、低コストで製作することができると共に、環境公害の発生を防止することができる。
【００２４】
請求項２の発明のように、基盤と表層部との間に、両方の材料による中間層を形成するときは、一層強固なブロックとなり、堅固な法面を構築することができる。
【図面の簡単な説明】
【図１】本発明に係る法面用ブロックの一例を示す斜視図である。
【図２】同上要部の縦断面図である。
【図３】本発明に係る法面用ブロックの別の一例を示す斜視図である。
【符号の説明】
１        基  盤
２        表層部
３        中間層
４        連結環
５        木質繊維材
６        粗骨材
７        膨出部
８        擬  石
【図１】
2004278086.tif 000003
【図２】
2004278086.tif 000004
【図３】
2004278086.tif 000005